(57)【特許請求の範囲】
【請求項１】
投入された薬剤を溶解する溶解槽を備えた薬剤溶解装置において、
水平方向に延在し、複数の薬剤収納袋体を吊り下げた状態で支持する複数の袋体支持部材と、
上下方向及び水平方向に移動可能な保持部を有し、該保持部により薬剤収納袋体の上部を保持した状態で袋体支持部材から薬剤収納袋体を取り出し可能であって、取り出した当該薬剤収納袋体を吊り下げた状態で搬送可能な袋体取り出し搬送機構と、
前記溶解槽の内部に通じる薬剤投入口を有し、この薬剤投入口上に、切刃を上向きに固定した状態で開封カッターを設けた薬剤排出部と、
を備え、
袋体取り出し搬送機構により搬送された薬剤収納袋体を薬剤排出部にセットして、薬剤収納袋体の底部を前記切刃に当接させることによって開封し、開封された底部開口から薬剤収納袋体内の薬剤を薬剤投入口から溶解槽内に投入して溶解することを特徴とする薬剤溶解装置。
【請求項２】
前記開封カッターは、切刃よりも低い位置に薬剤流下空部が形成されていることを特徴とする請求項１に記載の薬剤溶解装置。
【請求項３】
前記薬剤排出部は、前記薬剤投入口を横断する方向に開封カッターを取り付け、該開封カッターの左右に開口した薬剤投入口の両外側に、前記薬剤収納袋体の底部と当接する底当接部が設けられており、薬剤収納袋体の底部と当接する底当接部の底当接面が薬剤投入口側に向けて下り傾斜していることを特徴とする請求項１または請求項２に記載の薬剤溶解装置。
【請求項４】
前記袋体支持部材を、高さを異ならせて縦方向に複数段設けたことを特徴とする請求項１から請求項３のいずれかに記載の薬剤溶解装置。
【請求項５】
前記袋体支持部材を上下方向に移動する上下移動機構を設けたことを特徴とする請求項４に記載の薬剤溶解装置。
【請求項６】
開閉扉を有する筐体を備え、該筐体の内部に、前記袋体取り出し搬送機構と溶解槽と薬剤排出部とを配設し、開閉扉の内面側に前記袋体支持部材を設け、開閉扉を開いた状態で袋体支持部材に薬剤収納袋体を吊り下げ可能であって、開閉扉を閉じた状態で袋体取り出し搬送機構により薬剤収納袋体を取り出し可能としたことを特徴とする請求項１から請求項５のいずれかに記載の薬剤溶解装置。
【請求項７】
前記袋体支持部材が、薬剤収納袋体の上部の左右に開設された開口内に挿通する一対の平行な棒体から構成されていることを特徴とする請求項１から請求項６のいずれかに記載の薬剤溶解装置。
【発明の詳細な説明】
【技術分野】
【０００１】
本発明は、例えば、人工透析に用いる透析液の調製に使用され、粉末状或いは顆粒状とした固体透析用剤などの薬剤を所定濃度に溶解するための薬剤溶解装置に関する。
【背景技術】
【０００２】
従来、人工透析に使用される透析液は、水に粉末状の透析用薬剤（あるいは、単に薬剤と称す）に水を溶解して複数（例えば２種）の透析用原液を用意し、この透析用原液を混合したものを更に水で希釈して調製されている。そして、透析用薬剤を収納する容器は、ボトル式と袋式があるが、ボトル式薬剤収納容器は、剛性の高い材料で構成されているので、使用後空になっても潰して容量を小さくし難く、ゴミとして処分する際に嵩張るという問題がある。しかしながら、袋式の薬剤収納容器（薬剤収納袋体）は、点滴用液の容器と同様に、可撓性を有するシート材で袋体に構成されているので、使用後の嵩高を減少させることができる利点がある。
【０００３】
また、透析液の調製作業の効率の向上を図るため、薬剤収納袋体に収納された規定量の透析用薬剤を溶解槽へ自動投入し、溶解槽内で水と混合して規定濃度となるように溶解作業を行うことができる透析用薬剤溶解装置が使用されている。この透析用薬剤溶解装置に関し、特許文献１には、搬送手段により薬剤収納袋体を載置場所から袋保持手段へ搬送し、袋保持手段で保持された薬剤収納袋体を起立するとともに上端部をカッターで開封し、薬剤収納袋体の上端部が開封されたならば、袋保持手段を回動して薬剤収納袋体の開封部分を下方のホッパーに向け、薬剤収納袋体内の薬剤をホッパーから溶解槽へ払い出すように構成された透析用薬剤溶解装置が提案されている。
【特許文献１】特開平７−２６５３９３号公報
【発明の開示】
【発明が解決しようとする課題】
【０００４】
しかしながら、上記した透析用薬剤溶解装置では、薬剤収納袋体を袋保持手段まで搬送したり、上下逆に引っくり返したりして薬剤を溶解槽へ投入しなければならず、透析用薬剤の溶解作業を迅速に行い難い。また、多数の薬剤収納袋体を清潔に保ったままで保管することが困難である。
【０００５】
そこで、本発明は、上記した事情に鑑みてなされたもので、その目的は、簡単な構造で薬剤の溶解作業を迅速に実施することができ、薬剤収納袋体を清潔に保ったままでスペース効率良く保管することができる薬剤溶解装置を提供しようとするものである。
【課題を解決するための手段】
【０００６】
本発明は、上記目的を達成するために提案されたものであり、請求項１に記載のものは、投入された薬剤を溶解する溶解槽を備えた薬剤溶解装置において、
水平方向に延在し、複数の薬剤収納袋体を吊り下げた状態で支持する複数の袋体支持部材と、
上下方向及び水平方向に移動可能な保持部を有し、該保持部により薬剤収納袋体の上部を保持した状態で袋体支持部材から薬剤収納袋体を取り出し可能であって、取り出した当該薬剤収納袋体を吊り下げた状態で搬送可能な袋体取り出し搬送機構と、
前記溶解槽の内部に通じる薬剤投入口を有し、この薬剤投入口上に、切刃を上向きに固定した状態で開封カッターを設けた薬剤排出部と、
を備え、
袋体取り出し搬送機構により搬送された薬剤収納袋体を薬剤排出部にセットして、薬剤収納袋体の底部を前記切刃に当接させることによって開封し、開封カッターにより薬剤収納袋体の底部を開封し、開封された底部開口から薬剤収納袋体内の薬剤を薬剤投入口から溶解槽内に投入して溶解することを特徴とする薬剤溶解装置である。
【０００７】
請求項２に記載のものは、前記開封カッターが、切刃よりも低い位置に薬剤流下空部が形成されていることを特徴とする請求項１に記載の薬剤溶解装置である。
また、請求項３に記載のものは、前記薬剤排出部は、前記薬剤投入口を横断する方向に開封カッターを取り付け、該開封カッターの左右に開口した薬剤投入口の両外側に、前記薬剤収納袋体の底部と当接する底当接部が設けられており、薬剤収納袋体の底部と当接する底当接部の底当接面が薬剤投入口側に向けて下り傾斜していることを特徴とする請求項１または請求項２に記載の薬剤溶解装置である。
さらに、請求項４に記載のものは、前記袋体支持部材を、高さを異ならせて縦方向に複数段設けたことを特徴とする請求項１から請求項３のいずれかに記載の薬剤溶解装置である。
【０００８】
請求項５に記載のものは、前記袋体支持部材を上下方向に移動する上下移動機構を設けたことを特徴とする請求項４に記載の薬剤溶解装置である。
【０００９】
請求項６に記載のものは、開閉扉を有する筐体を備え、該筐体の内部に、前記袋体取り出し搬送機構と溶解槽と薬剤排出部とを配設し、開閉扉の内面側に前記袋体支持部材を設け、開閉扉を開いた状態で袋体支持部材に薬剤収納袋体を吊り下げ可能であって、開閉扉を閉じた状態で袋体取り出し搬送機構により薬剤収納袋体を取り出し可能としたことを特徴とする請求項１から請求項５のいずれかに記載の薬剤溶解装置である。
【００１０】
請求項７に記載のものは、前記袋体支持部材が、薬剤収納袋体の上部の左右に開設された開口内に挿通する一対の平行な棒体から構成されていることを特徴とする請求項１から請求項６のいずれかに記載の薬剤溶解装置である。
【発明の効果】
【００１１】
本発明によれば、水平方向に延在する袋体支持部材により複数の薬剤収納袋体を吊り下げた状態で支持するので、袋体支持部材開封の底部に何も接触しない状態で薬剤収納袋体をストックしておくことができ、これにより薬剤収納袋体の清潔を確実に保つことができる。そして、上下方向及び水平方向に移動可能な保持部を有する袋体取り出し搬送機構により、薬剤収納袋体の上部を保持した状態で複数の袋体支持部材から薬剤収納袋体を取り出し、取り出した当該薬剤収納袋体を吊り下げた状態で薬剤排出部に搬送し、薬剤排出部で切刃を上向きに固定した状態の開封カッターで開封して薬剤を溶解槽に投入するので、簡単な構造で開封作業を行える薬剤溶解装置を実現でき、しかも薬剤の溶解作業を迅速に実施することができる。
また、前記開封カッターは、切刃よりも低い位置に薬剤流下空部が形成されているので、薬剤収納袋体を十分に下降して開封すると、薬剤流下空部を底部の内側に到達させることができ、底部の近くに収納されていた薬剤が先ず薬剤流下空部に流れ込んで流下が開始され、薬剤が薬剤収納袋体の内部で滞留することを防ぐことができる。このことから、薬剤収納袋体を開封しても中の薬剤が流下しないという不具合の発生を抑えることができ、薬剤の投入作業を迅速に行うことができる。
さらに、前記薬剤排出部が、前記薬剤投入口を横断する方向に開封カッターを取り付け、該開封カッターの左右に開口した薬剤投入口の両外側に、前記薬剤収納袋体の底部と当接する底当接部が設けられており、薬剤収納袋体の底部と当接する底当接部の底当接面が薬剤投入口側に向けて下り傾斜していると、薬剤収納袋体を薬剤排出部上で安定させることができ、薬剤投入口からずれたりして薬剤が薬剤排出部上に飛び散ることを抑えることができる。これにより、溶解槽への投入時の発塵により薬剤溶解装置の内部や周辺が汚染する不具合を抑制することができる。
【００１２】
また、袋体支持部材を、高さを異ならせて縦方向に複数段設けたり、上下方向に移動する上下移動機構を設けたりすると、多数の薬剤収納袋体を効率良くストックすることができる。
【００１３】
開閉扉を有する筐体の内部に、前記袋体取り出し搬送機構と溶解槽と薬剤排出部とを配設し、開閉扉の内面側に前記袋体支持部材を設け、開閉扉を開いた状態で袋体支持部材に薬剤収納袋体を吊り下げ可能であって、開閉扉を閉じた状態で袋体取り出し搬送機構により薬剤収納袋体を取り出し可能とすると、多数の薬剤収納袋体をストックできて、しかも装置全体をコンパクトに収めることができる。
【００１４】
そして、薬剤収納袋体の上部の左右に開設された開口内に挿通する一対の平行な棒体により袋体支持部材を構成すると、簡単な構成で所定位置で確実に薬剤収納袋体を支持しておくことができる。
【発明を実施するための最良の形態】
【００１５】
以下、本発明の最良の実施形態を図面に基づいて説明する。
図１は溶解装置の内部構成を示す概略平面図、図２は概略構成を示す説明図である。
本実施形態に示す溶解装置１は、透析用剤を溶解して透析液とする透析用剤溶解装置１であり、左右に開く観音扉状の開閉扉２ａ，２ｂを前面に有する筐体３と、この筐体３の開閉扉２ａ，２ｂの内面側に設けられて複数の薬剤収納袋体４を吊り下げた状態で支持する袋体支持部材５と、筐体３の内部に設けられたＡ剤用とＢ剤用との２つの溶解槽６、開閉扉２ａ，２ｂの袋体支持部材５から薬剤収納袋体４を取り出して所定の位置まで搬送可能な袋体取り出し搬送機構７と、該袋体取り出し搬送機構７により搬送した薬剤収納袋体４を開封して薬剤を排出して前記溶解槽６内に投入する薬剤排出部８とから概略構成されている。
【００１６】
まず、薬剤収納袋体４について説明する。
薬剤収納袋体４は、図３及び図４に示すように、可撓性シート材からなる筒状の胴部１０と、この胴部１０内の下部に設けた可撓性シート材製の底部１１とから概略構成され、胴部１０の上端部分を封止した上封止部１２の左右には袋体支持部材５を挿通するための貫通した孔１３を開設し、底部１１には、収納した透析用剤の通過を阻止するが空気の通過を許容する大きさの小孔１４を開設し、溶解装置１にセットする場合には下封止部１５を側縁のノッチ１６から切除して底部１１を露出できるようにしてある。可撓性シート材としては、例えば、ポリエステルのラミネートフィルム材やポリエチレンフィルムなど可撓性のある合成樹脂シート材（フィルム材）を使用することができ、胴部１０には底部１１よりも高い強度のものを用い、底部１１にはカッターで破断し易いように胴部１０よりも弱いものを用いると好適である。なお、図面に示す実施形態では、胴部１０には、厚さ１０〜５０μｍのポリエステルフィルムと、厚さ１０〜５０μｍの酸化ケイ素蒸着ポリエステルフィルムと、厚さ５０〜１００μｍのポリエチレンフィルムとを積層したラミネートフィルムを使用し、底部１１には、厚さ１０〜１００μｍのポリエチレンフィルムを使用している。
なお、後述するＡ剤用とＢ剤用の容器とは、大きさが異なるので、左右の孔１３の間隔も差があるが、両孔１３，１３の間に袋体取り出し機構７の保持部材が入って挟持し得るスペースは確保してある。
【００１７】
そして、薬剤収納袋体４の内部に収納する薬剤、例えば本実施形態に示す透析用剤は、溶解時における化学反応を防止するためにＡ剤とＢ剤との２種類に分けて提供される。Ａ剤はブドウ糖、塩化ナトリウム、塩化マグネシウムなどの成分を含んだ薬剤であり、Ｂ剤は炭酸水素ナトリウムを主成分とする薬剤である。そして、透析液を調製するには、例えばＡ剤を２６８２．０ｇ、Ｂ剤を６６１．６ｇ使用する。そこで、本実施例に示す実施形態では、透析用剤収納容器（薬剤収納袋体４）を、透析液の調整に必要な使用量を収納可能な容量に設定している。例えば、Ａ剤用の透析用剤収納容器４ａの容量を約３リットル（幅約２３ｃｍ、高さ約４０ｃｍ）、Ｂ剤用の透析用剤収納容器４ｂの容量を約１リットル（幅約２３ｃｍ、高さ約１３ｃｍ）に設定し、透析用剤収納容器を見ただけで識別できるようにしてある。そして、容量の大きなＡ剤用の透析用剤収納容器４ａを右側の大きな開閉扉２ａの裏側に、容量の少ないＢ剤用の透析用剤収納容器４ｂを右側よりも小さな左側の開閉扉２ｂの裏側に貯留（ストック）するようにしてある。
【００１８】
次に、薬剤収納袋体４を支持する袋体支持部材５について説明する。
袋体支持部材５は、複数の薬剤収納袋体４を吊り下げた状態で支持するための部材であり、本実施形態では、基端が開閉扉２ａ，２ｂの裏面側に固定された片持ち梁状に水平方向に延出した一対の平行な棒体から構成されている。そして、本実施形態においては、平行な棒体からなる袋体支持部材５を、上下方向移動機構２０に高さを異ならせて縦方向に複数段設けるとともに横方向に複数列設けることにより各棒体が共に上下方向に移動するように構成してある。上下方向移動機構２０は、開閉扉２ａ，２ｂの裏面の上下に駆動ホイール２１ａと遊転ホイール２１ｂを設け、両ホイール２１ａ，２１ｂに無端ベルト（乃至無端チェーン）２２を掛け渡し、その表面に棒体の基端を固定し、駆動ホイール２１ａにはパルスモータ等の駆動源（図示せず）を接続して構成されている。したがって、制御装置（図示せず）からの駆動信号により駆動源を作動すると、各棒体が上下方向に移動し、これに棒体、即ち薬剤収納袋体４を所定の高さに調整することができる。なお、Ａ剤用の右側とＢ剤用の左側の上下方向移動機構２０は、大きさが異なり、また、棒体の間隔が孔の間隔に合わせて異なるだけであり、基本的な構成は同じである。
【００１９】
この様な構成からなる袋体支持部材５にストック（貯留）した複数の薬剤収納袋体４から１つを取り出す袋体取り出し搬送機構７は、Ａ剤用もＢ剤用も共通であり、その概略は、筐体３の内部の奥に架設されて左右方向に長尺なガイドレール２５を架設し、このガイドレール２５に案内されて移動する取り出しアーム２６を前方の開閉扉２ａ，２ｂに向けて延設し、取り出しアーム２６に、薬剤収納袋体４の上部（上封止部１２）を保持した状態で薬剤収納袋体４を吊り下げた状態で保持する保持部２７を前後方向及び上下方向に移動可能に設け、保持部２７により保持した薬剤収納袋体４を前後左右方向（水平方向）及び上下方向に自由に移動（搬送）できるように構成してある。
【００２０】
なお、保持部２７を前後方向に移動したり、取り出しアーム２６をガイドレール２５に沿って左右方向に移動するなどの駆動機構は、公知の駆動構造を採用することができ、例えば、雄ねじを形成した雄ねじ杆に雌ねじ部材を螺合して雄ねじ杆を回転することにより雌ねじ部材を移動するボールスプラインなどを使用した構成でもよい。また、保持部２７により薬剤収納袋体４の上部（上封止部１２）を保持するための構造は、チャック部を電磁ソレノイドとスプリングにより開閉する機構でもよいし、あるいは、前記した雄ねじ杆と雌ねじ部材とからなる駆動機構でもよい。また、図４（ｂ）に示すように、保持部２７のチャック部２７ａ，２７ｂの対向する面の一方に凸部２７ｃを、他方に凸部２７ｃが嵌合可能な凹部２７ｄを形成し、両チャック部２７ａ，２７ｂを閉じた状態で各チャック部の対向面が薬剤収納袋体４の上封止部１２を両側から挟みつけて挟持すると同時に、凸部２７ｃが上封止部１２の貫通開口２８内を貫通して凹部２７ｄ内に先端が嵌合するように構成しても良い。この様に、保持部２７の一部（凸部２７ｃ）が薬剤収納袋体４の一部分を貫通すると、薬剤収納袋体４を吊り上げた時に、落下するトラブルを未然に防止することができ、確実性が高まる。
【００２１】
この様な構成からなる袋体取り出し搬送機構７により袋体支持部材５から薬剤収納袋体４を取り出すには、制御装置（図示せず）がどの段の何列目のから取り出すかを管理・制御しているので、この制御装置からの信号に基づいて取り出しアーム２６が指示通りの段と列に合った位置に停止し、保持部２７を開閉扉２ａ，２ｂ側に向けて前進させる。保持部２７には、センサー（図示せず）が装備されているので、このセンサーが薬剤収納袋体４を検出すると制御装置からの信号に基づいて目標とする薬剤収納袋体４の取り出しに適した位置で停止する。そして、図４（ｂ）に示すように、保持部２７のチャック部２７ａ，２７ｂが開いた状態で下降して両チャック部２７ａ，２７ｂの間に薬剤収納袋体４の上封止部１２を位置させ、次にチャック部２７ａ，２７ｂを閉じて薬剤収納袋体４の上封止部１２を挟持し、この挟持状態で保持部２７を後退させることにより当該薬剤収納袋体４を袋体支持部材５から取り出す。なお、袋体支持部材５の上端には、位置決め溝２９が形成してあるので、薬剤収納袋体４を袋体支持部材５に順次突き刺してストックする場合には、上記した位置決め溝２９内に孔１３の縁を嵌合して位置決めした状態にすることが望ましい。
【００２２】
上記した様にして薬剤収納袋体４を１つ取り出したならば、取り出しアーム２６がガイドレール２５に沿って移動し、取り出した薬剤収納袋体４をＡ剤用の溶解槽６ａ上に搬送する。なお、制御装置は、取り出す順序を予め記憶しておき、この順序で取り出すように制御し、上下方向移動機構２０を作動して、薬剤収納袋体４が掛かっている袋体支持部材５が保持部２７の取り出し高さに合致するようにパルスモータ等の駆動源を作動する。
【００２３】
次に、溶解槽６を始めとする溶解機構と薬剤収納袋体４を開封する開封機構について図５，６を用いて説明する。なお、Ａ剤用とＢ剤用とは、薬剤収納袋体４の大きさに合わせて寸法が多少異なる部分もあるが、基本的な構造は同じである。
溶解機構は、溶解槽６と、該溶解槽６の底部１１の排出口３１に上端を接続した吸入側配管３２と、この吸入側配管３２の下端を吸入ポートに接続したポンプ３３と、このポンプ３３の吐出ポートに一端を接続して他端を溶解槽６の攪拌管３４に接続した吐出側配管３５と、溶解槽６の内部に斜めに差し込まれた攪拌管３４とから概略構成されており、本実施形態では溶解槽６の上面に蓋３６を被せ、この蓋３６に開設した薬剤投入口３７に、薬剤排出部８の開封機構が設けてある。
【００２４】
開封機構は、薬剤投入口３７を横断するようにして架設した梁状のホルダ４０に切刃４１を上向きにして開封カッター４２を取り付け、ホルダ４０の左右に開口した薬剤投入口３７の外側に、三角錐形状の底当接部４３を設けて構成されている。したがって、保持部２７により吊り下げた状態で保持した薬剤収納袋体４をＡ剤用溶解槽６の開封機構上に搬送してからこれを下降すると、薬剤収納袋体４の底部１１が開封カッター４２の切刃４１に当たり、さらに下降すると切刃４１が底部１１を切り裂いて開封（貫通）し、左右の底当接部４３が薬剤収納袋体４の底の凹部にそれぞれ嵌合するとともに底当接面４４が底部１１に当接する。このようにして、本実施形態に示す開封機構は、簡単な構成で、薬剤収納袋体４の底部１１を開封することができる。また、底部１１が開封された薬剤収納袋体４を薬剤排出部８上で安定させることができ、薬剤投入口３７からずれたりして薬剤が薬剤排出部８上に飛び散ることを抑えることができる。これにより、溶解槽６への投入時の発塵により透析用薬剤溶解装置１の内部や周辺が汚染する不具合を抑制することができる。しかも、底当接部４３は、薬剤収納袋体４の底の凹部内に嵌合して位置決め可能な大きさと形状に設定されているので、薬剤収納袋体４を一層安定させることができる。
【００２５】
そして、開封カッター４２には切刃４１よりも低い位置に薬剤流下空部４５が形成されているので、薬剤収納袋体４を十分に下降して開封すると、図９（ｂ）に示すように、薬剤流下空部４５を底部１１の内側に到達させることができる。したがって、底部１１の近くに収納されていた薬剤が先ず薬剤流下空部４５に流れ込んで流下が開始され、薬剤が薬剤収納袋体４の内部で滞留することを防ぐことができる。このことから、薬剤収納袋体４を開封しても中の薬剤が流下しないという不具合の発生を抑えることができ、薬剤の投入作業を迅速に行うことができる。
【００２６】
薬剤収納袋体４を下死点まで下降し、切刃４１によって底部１１に開口（底部開口）４６を開設したならば、その後に保持部２７により薬剤収納袋体４を僅かに上昇させて停止する。詳しくは、切刃４１が薬剤収納袋体４の開封された底部開口４６から抜けない範囲で上昇して停止する。すると、開封カッター４２が底部１１から僅かに引き抜かれ、この開封カッター４２の引き抜き動作により、底部開口４６の縁が下方へ向きを変える（図９（ｃ））。したがって、薬剤収納袋体４を開封して底部開口４６の縁が開封カッター４２の側部に密着したとしても、底部開口４６の縁が薬剤の落下を阻止する状態を回避することができる。
【００２７】
そして、薬剤収納袋体４内の薬剤が底部開口４６から排出され、下方に開口している薬剤投入口３７内を通って流下し、溶解槽６内に投入される。したがって、薬剤収納袋体４を上下移動させるだけで薬剤収納袋体４の開封作業を行うことができるとともに、薬剤を溶解槽６へ確実に投入することができる。このことから、簡単な構造で開封作業を行える透析用薬剤溶解装置１を実現することができる。しかも、薬剤の投入作業を迅速に行うことができ、薬剤の溶解作業、ひいては透析液の調製作業の効率向上を図ることができる。
【００２８】
そして、薬剤収納袋体４が薬剤を排出し始めたならば、薬剤排出部８の側方に配置した排出補助機構４７を作動し、叩き部４８により薬剤収納袋体４の胴部１０を叩いて振動を与え、薬剤の排出を促進させるようにしてもよい。このようにすると、薬剤を薬剤収納袋体４内に残さずに溶解槽６へ投入することができ、薬剤を確実に規定の濃度で溶解させることができる。なお、排出補助機構４７は、薬剤収納袋体４が開封された後であれば、薬剤が排出し始める前に胴部１０を叩いて振動を与えて、塊を崩したり、薬剤の排出開始を促すようにしてもよい。
【００２９】
薬剤収納袋体４から薬剤を投入し終わったならば、保持部２７を上昇して空になった薬剤収納袋体４を持ち上げ、取り出しアーム２６をガイドレール２５に沿って排出シュート５０まで移動し、ここで保持部２７のチャック部を開いて薬剤収納袋体４を排出シュート５０に落下させ、この排出シュート５０を介して空容器回収箱５１へ回収する。なお、この様にして回収した薬剤収納袋体４は、押し潰して簡単に減容できる。
【００３０】
また、上記した操作により薬剤を投入したならば、溶解ポンプ３３を作動し、水および薬剤を溶解槽６と溶解ポンプ３３との間に循環して攪拌する。そして、薬剤が十分に溶解したならば、溶解ポンプ３３を一旦停止し、排出切替弁（図示せず）を切り替えて排出配管と溶解ポンプ３３の吐出口とを連通状態に変換するとともに、溶解槽６の供給口と溶解ポンプ３３の吐出口とを遮断状態に変換し、再び溶解ポンプ３３を作動する。すると、溶解水が溶解槽６から排出配管へ送出され、排出配管の下流側に設けた溶解水回収容器（図示せず）へ回収される。
【００３１】
このようにして、Ａ剤を収納した薬剤収納袋体４をセットしてＡ剤用の溶解槽６ａで９Ｌ（リットル）のＡ原液を調製し、Ｂ剤を収納した薬剤収納袋体４をセットしてＢ剤用の溶解槽６ｂで１１．３４ＬのＢ原液を調製する。そして、Ａ原液：Ｂ原液：水＝１：１．２６：３２．７４の比率で混合すれば、３１５Ｌの透析液を調製することができる。
【００３２】
なお、薬剤流下空部４５は、前記実施形態では開封カッター４２の厚さ方向に貫通させて開設した貫通開口部により構成したが、これに限定されない。例えば、図１０に示すように、開封カッター４２の表裏両面部に縦長な複数の流下案内溝を横に並べて形成し、この流下案内溝を薬剤流下空部４５´として構成してもよく、縦長な流下案内溝に入り込んだ薬剤が下方へ案内されて薬剤投入口３７へ流下し易くなるので好適である。
【００３３】
なお、前記した実施形態においては透析用剤を溶解する溶解装置１として説明したが、本発明はこれに限定されるものではなく、他の薬剤を溶解するためのものであってもよい。したがって、溶解槽６や開封機構などは１つでもよい。
【００３４】
また、袋体支持部材５は、前記実施形態で示したようなヒンジにより回動して左右に開く開閉扉２ａ，２ｂの裏側に設けるものに限定されない。例えば、棒体の基端を支柱に複数段固定し、支柱の下端をキャスター付台車に取り付けて移動できるように構成してもよい。この様に構成すると、作業者が多数の薬剤収納袋体４を袋体支持部材５に吊り下げる作業を広い場所で容易に行うことができ、操作性に優れる。
また、袋体支持部材５は、水平方向に延在して複数の薬剤収納袋体を吊り下げた状態で支持できれば、前記実施形態における片持ち梁状のものに限定されず、両端を固定した両持ち構造とし、薬剤収納袋体を吊り上げて取り出すように構成してもよい。
【図面の簡単な説明】
【００３５】
【図１】透析用剤溶解装置の概略構成を説明する正面視の説明図である。
【図２】透析用剤溶解装置の概略構成を説明する平面視の説明図である。
【図３】（ａ）は薬剤収納袋体の正面図、（ｂ）はその側面図である。
【図４】（ａ）は薬剤収納袋体の下封止部を切除する状態を示す正面図、（ｂ）はその側面図である。
【図５】薬剤排出部の開封機構により底部を開封した状態を示す正面視の説明図である。
【図６】薬剤排出部の開封機構により底部を開封した状態を示す側面視の説明図である。
【図７】薬剤排出部の開封機構の平面図である。
【図８】（ａ）は開封カッターの正面図、（ｂ）はその断面図である。
【図９】（ａ）は開封カッターにより薬剤収納袋体の底部を開封する直前の状態を示す説明図、（ｂ）は開封カッターにより薬剤収納袋体の底部を開封した直後の状態を示す説明図、（ｃ）は薬剤収納袋体を少し持ち上げた状態を示す説明図である。
【図１０】（ａ）は開封カッターの他の実施形態の正面図、（ｂ）はその断面図である。
【符号の説明】
【００３６】
１  溶解装置
２  開閉扉
３  筐体
４  薬剤収納袋体
５  袋体支持部材
６  溶解槽
７  袋体取り出し機構
８  薬剤排出部
１０  薬剤収納袋体の胴部
１１  薬剤収納袋体の底部
１２  薬剤収納袋体の上封止部
１３  袋体支持部材を通す孔
１４  底部の小孔
１５  下封止部
１６  ノッチ
２０  上下方向移動機構
２１ａ  駆動ホイール
２１ｂ  遊転ホイール
２２  無端ベルト  
２５  ガイドレール
２６  取り出しアーム
２７  保持部
３７  薬剤投入口
４０  ホルダ
４１  切刃
４２  開封カッター
４３  底当接部
４４  底当接面
４５  薬剤流下空部
４６  底部開口
４７  排出補助機構
４８  叩き部
５０  排出シュート
５１  空容器回収箱
【図１】
0004443504.tif 000002
【図２】
0004443504.tif 000003
【図３】
0004443504.tif 000004
【図４】
0004443504.tif 000005
【図５】
0004443504.tif 000006
【図６】
0004443504.tif 000007
【図７】
0004443504.tif 000008
【図８】
0004443504.tif 000009
【図９】
0004443504.tif 000010
【図１０】
0004443504.tif 000011